(57)【要約】      （修正有）【課題】カップ食品の嵌め込みが容易なカップ食品用のトレイの提供。【解決手段】底面部１０１、側面部１０２およびフランジ部１０３を有する開口部からなるカップ容器の中に食品が入れられ、開口部が前記フランジ部に貼り付けられたシール部材１０４で閉塞されたカップ食品を箱容器に詰め込むときに使用するカップ食品１００用のトレイ１０であって、トレイが、平面保持部１１と、平面保持部の少なくとも２箇所において同一の高さ方向に伸ばされた立体保持部１２〜１５を有しており、少なくとも２箇所の立体保持部の内側面の形状がフランジ先端部の形状と同じ形状のものであり、トレイが、トレイにカップ食品を嵌め込んだとき、平面保持部と立体保持部の境界部とフランジ部の先端部が互いに作用して固定されるように立体保持部の形成位置が調整されているものである、カップ食品用のトレイ。【選択図】図６
2019001482.tif 000002
【特許請求の範囲】
【請求項１】
底面部、側面部およびフランジ部を有する開口部からなるカップ容器の中に食品が入れられ、前記開口部が前記フランジ部に貼り付けられたシール部材で閉塞されたカップ食品を箱容器に詰め込むときに使用するカップ食品用のトレイであって、
前記カップ食品用のトレイが、
平面保持部と、前記平面保持部の少なくとも２箇所において同一の高さ方向に伸ばされた立体保持部を有しており、前記少なくとも２箇所の立体保持部の内側面の形状が前記フランジ先端部の形状と同じ形状のものであり、
前記カップ食品用のトレイが、前記カップ食品用のトレイに前記カップ食品を嵌め込んだとき、前記平面保持部が前記カップ容器の開口部を閉塞するシール部材に当接され、かつ前記平面保持部と前記立体保持部の境界部と前記カップ食品のフランジ部の先端部が当接されるようになっており、さらに前記平面保持部と前記立体保持部の境界部と前記カップ食品のフランジ部の先端部が互いに作用して固定されるように前記立体保持部の形成位置が調整されているものである、カップ食品用のトレイ。
【請求項２】
前記少なくとも２箇所の立体保持部が、前記平面保持部の一面側から高さ方向に突き出され、かつ外周部に沿って等間隔に形成されているものである、請求項１記載のカップ食品用のトレイ。
【請求項３】
前記平面保持部と前記立体保持部を合わせた平面形状が、角部が丸みを帯びた正多角形または長方形であり、前記角部に前記立体保持部が形成されているものである、請求項１または２記載のカップ食品用のトレイ。
【請求項４】
前記平面保持部が円形で、前記円形の平面保持部の周縁部において等間隔に形成された４つの立体保持部を有しているものであり、
前記平面保持部と前記４つの立体保持部を合わせた平面形状が、角部が丸みを帯びた正方形である、請求項１または２記載のカップ食品用のトレイ。
【請求項５】
前記カップ食品用のトレイが、樹脂、ゴム、エラストマー、紙およびそれらの複合体から選ばれる材料からなるものである、請求項１〜４のいずれか１項に記載のカップ食品用のトレイ。
【請求項６】
前記カップ食品用のトレイが、前記カップ食品用のトレイの複数が一体にされたものである、請求項１〜５のいずれか１項に記載のカップ食品用のトレイ。
【請求項７】
請求項１〜６のいずれか１項に記載のカップ食品用のトレイの使用方法であって、
箱容器の底面にカップ食品用のトレイを置き、
前記立体保持部の内側面に対して前記カップ容器のフランジ部の先端部を摺動させながら、前記カップ食品の開口部を閉塞するシール部材を前記カップ食品用のトレイの平面保持部に当接させ、かつ前記カップ食品のフランジ部の先端部を全ての前記立体保持部に当接させるように嵌め込む、カップ食品用のトレイの使用方法。
【請求項８】
請求項１〜６のいずれか１項に記載のカップ食品用のトレイの使用方法であって、
前記カップ食品が、前記底面部に前記食品の情報が印刷されたラベルが貼り付けられているものであり、
箱容器の底面にカップ食品用のトレイを置き、
前記立体保持部の内側面に対して前記カップ容器のフランジ部の先端部を摺動させながら、複数の前記カップ食品の開口部を閉塞するシール部材を複数の前記カップ食品用のトレイの平面保持部に当接させ、かつ複数の前記カップ食品のフランジ部の先端部を全ての前記立体保持部に当接させるように嵌め込むとき、前記食品の情報が印刷されたラベルが同じ向きになるように嵌め込む、カップ食品用のトレイの使用方法。
【発明の詳細な説明】
【技術分野】
【０００１】
本発明は、ゼリー、プリンなどのカップ食品用として適しているカップ食品用のトレイに関する。
【背景技術】
【０００２】
ゼリー、プリンなどの各種カップ食品が販売されている。
カップ食品100としては、例えば図７に示すとおり、底面部101、側面部102およびフランジ部103を有する開口部がシール部材104で閉塞されており、底面部101には内部の食品の種類についての情報、商品名などが印刷されたラベル105が貼り付けられたものが周知である。シール部材104は、剥がしやすくするための突出片104aを有している。
【０００３】
このようなカップ食品100をお土産や贈答品として販売するときは、図８に示すとおり、箱200内に仕切り部材201を配置して仕切ったあと、所要数のカップ食品100を並べておいた状態で包装して販売される。
しかし、カップ食品100のお土産や贈答品を製造会社から販売店に運ぶ過程、および消費者が販売店で購入して持ち運ぶ過程において、カップ食品100の向きが少しずつずれてしまい、製造直後は全てのラベル105が同じ向きになるように並べられていたものの、包装紙を外し、箱の蓋を開けたときにはラベル105の向きがバラバラになってしまっていることが通常である。
これでは全てのラベル105が同じ向き揃っている場合と比べると、箱を開けたときの第一印象の違いは非常に大きくなる。
また箱200内の所定位置に仕切り部材201を配置するときは、仕切り部材201を組み立てた後で配置することになるため煩雑であり、合計の作業時間を長くする要因にもなっている。
【０００４】
特許文献１は、図７のシール部材104の代わりに台座４を使用しているものであるが、図８の状態になるという課題は解決することができない。
【先行技術文献】
【特許文献】
【０００５】
【特許文献１】特開平７−２４２２５６号公報
【発明の概要】
【発明が解決しようとする課題】
【０００６】
本発明は、箱容器にゼリー、プリンなどのカップ食品を詰め込むときに使用できるカップ食品用のトレイを提供することを課題とするものである。
【課題を解決するための手段】
【０００７】
本発明は、底面部、側面部およびフランジ部を有する開口部からなるカップ容器の中に食品が入れられ、前記開口部が前記フランジ部に貼り付けられたシール部材で閉塞されたカップ食品を箱容器に詰め込むときに使用するカップ食品用のトレイであって、
前記カップ食品用のトレイが、
平面保持部と、前記平面保持部の少なくとも２箇所において同一の高さ方向に伸ばされた立体保持部を有しており、前記少なくとも２箇所の立体保持部の内側面の形状が前記フランジ先端部の形状と同じ形状のものであり、
前記カップ食品用のトレイが、前記カップ食品用のトレイに前記カップ食品を嵌め込んだとき、前記平面保持部が前記カップ容器の開口部を閉塞するシール部材に当接され、かつ前記平面保持部と前記立体保持部の境界部と前記カップ食品のフランジ部の先端部が当接されるようになっており、さらに前記平面保持部と前記立体保持部の境界部と前記カップ食品のフランジ部の先端部が互いに作用して固定されるように前記立体保持部の形成位置が調整されているものである、カップ食品用のトレイと、その使用方法を提供する。
【発明の効果】
【０００８】
本発明のカップ食品用のトレイを使用して箱容器にカップ食品を詰め込むと、前記トレイの立体保持部がガイド機能を発揮するため、カップ食品の詰め込み作業が容易になる。
また本発明のカップ食品用のトレイを使用して箱容器にカップ食品を詰め込むと、トレイに嵌め込んだカップ食品が動き難くなっているので、カップ食品に貼られたラベルの位置が変化しないため、箱容器の蓋を開けたとき、全てのカップ容器のラベルが同じ向きになっており、分かり易く、見栄えも良くなる。
また本発明のカップ食品用のトレイを使用すると、従来の仕切り部材を廃止できるため、作業性も良くなる。
【図面の簡単な説明】
【０００９】
【図１】カップ食品用のトレイの平面図。
【図２】図１の側面図。
【図３】図１のIII−III線の断面図。
【図４】図１の裏面図。
【図５】別実施形態のカップ食品用のトレイの平面図。
【図６】図１のカップ食品用のトレイの使用方法の説明図であり、（ａ）はカップ食品用のトレイにカップ食品を置く前の正面図、（ｂ）はカップ食品用のトレイにカップ食品を置いた後の正面図、（ｃ）は（ｂ）の平面図。
【図７】カップ食品の斜視図。
【図８】従来のカップ食品を箱詰めし、例えば箱を持ち運んだあとの状態を示す平面図。
【発明を実施するための形態】
【００１０】
＜カップ食品用のトレイ＞
図１〜図４に示すカップ食品用のトレイ１０は、平面保持部１１と、平面保持部１１の４箇所から同一高さ方向に伸ばされた立体保持部１２〜１５を有している。
図１〜図４に示す実施形態では４つの立体保持部を有しているが、２または３でもよいし、５以上でもよい。
トレイ１０の平面保持部１１と４つの立体保持部１２〜１５を合わせた平面形状（トレイ１０全体の平面形状）は、４つの角部が丸みを帯びた正方形である。
トレイ１０全体の平面形状は、適用対象となるカップ食品の平面形状と、箱に入れて使用するときの箱の形状に対応して調整されるものである。
トレイ１０は、公知のプレス成形などにより製造することができる。
【００１１】
図１に示す平面保持部１１は円形である。平面保持部１１の形状と大きさは適用対象となるカップ食品（食品が入ったカップ容器）100（図６、図７）のフランジ部103と同一形状でかつ同一大きさのものが好ましく、適用対象となるカップ食品の形状に応じて調整されるものである。
適用対象となるカップ食品の平面形状が正三角形や正方形である場合は、平面保持部は同形状（正三角形や正方形）にすることができるほか、円形などの別形状にすることもできる。
また、適用対象となるカップ食品の平面形状が円形である場合でも、平面保持部は正三角形や正方形などの別形状にすることができる。
【００１２】
４つの立体保持部１２〜１５は、平面保持部１１の外周部から同一高さ方向に、かつ外周部に沿って等間隔に形成されている。
立体保持部１２〜１５の高さは全て同一であることが好ましいが、異なっていてもよい。
立体保持部１２〜１５の内側面１２ａ〜１５ａは、適用対象となるカップ食品100のフランジ部103の先端部103aと同一形状になっている。
立体保持部１２〜１５の先端部は平坦面１２ｂ〜１５ｂになっているが、平坦面でなくてもよい。
立体保持部１２〜１５の平面保持部１１からの高さは特に制限されるものではないが、トレイ１０自体の掴みやすさとトレイ１０を入れて使用する箱の深さとの関係などから、１０〜３０ｍｍ程度が好ましい。
【００１３】
円形の平面保持部１１の直径（Ｄ１）、対向する立体保持部１３の内側面１３ａと立体保持部１５の内側面１５ａの間の長さ（Ｌ１）、および対向する立体保持部１２の内側面１２ａと立体保持部１４の内側面１４ａの間の長さ（Ｌ２）は、Ｄ１＝Ｌ１＝Ｌ２である。
トレイ１０にカップ食品100を嵌め込んだとき、平面保持部１１がカップ食品100の開口部を閉塞するシール部材104に当接され、かつ立体保持部１２〜１５の内側面１２ａ〜１５ａと平面保持部１１の境界部１６がカップ食品100のフランジ部103の先端部103aに当接されるようになっている。
このため、ｄ１（ｄ１はカップ食品100のフランジ部103の直径）≧（Ｄ１、Ｌ１またはＬ２）の関係を満たしているが、ｄ１＞（Ｄ１、Ｌ１またはＬ２）が好ましく、次式（I）：ｄ１−（Ｄ１、Ｌ１またはＬ２）から求められる差は０〜４ｍｍの範囲が好ましく、０〜２．５ｍｍ範囲がより好ましい。
例えば、前記比が０．９５のときは、Ｄ１、Ｌ１またはＬ２の長さはｄ１よりも２．５ｍｍ程度短くなるようにすることができる。
また、図６に示すとおり、カップ食品100のシール部材104はフランジ部103よりも少し外側に突き出されている形態が多い。このようにシール部材104がフランジ部103よりも外側に突き出されている形態の場合には、ｄ１＜ｄ２（ｄ２はシール部材104の外径）の関係が生じることになるため、そのときにはｄ１＜（Ｄ１、Ｌ１またはＬ２）となり、（Ｄ１、Ｌ１またはＬ２）／ｄ１≧１．０のような大小関係になる場合もある。
立体保持部１２〜１５の内側面１２ａ〜１５ａと平面保持部１１の境界部１６がカップ食品100のフランジ部103の先端部103aに当接されること、および前記式（I）から求められる数値範囲を満たすようにするためには、立体保持部１２〜１５の形成位置を調整する必要がある。
なお、境界部１６間の長さは図１、図２に示すＤ１に相当する長さであるが、図３では境界部１６が外側に少し凹んだ状態になっているため、境界部１６間の長さはＤ１＋α（＝Ｄ２）となっている。
境界部１６間の長さがＤ２であるとき、Ｄ２−ｄ１は０〜４ｍｍの範囲が好ましく、０〜２．５ｍｍ範囲がより好ましい。
上記した寸法関係を満たしていると、カップ食品100をトレイ１０に嵌め込んだとき、カップ食品100のフランジ部103の先端部103a（または場合によりシール部材104）は外側に押し拡がるような力を生じさせ、立体保持部１２〜１５の内側面１２ａ〜１５ａと平面保持部１１の境界部１６は内側に押し縮めようとする力を生じさせることになり、互いの力が作用し合うことで、トレイ１０に対してカップ食品100が固定されるようになる。
【００１４】
トレイ１０の平面保持部１１と立体保持部１２〜１５は、樹脂、ゴム、エラストマー、紙およびそれらの複合体から選ばれる材料からなる弾力性のあるものが好ましく、樹脂からなるものが好ましい。
平面保持部１１と立体保持部１２〜１５の厚さは同一でもよいし、異なっていてもよいが、０．１〜１．０ｍｍの範囲が好ましい。
【００１５】
トレイ１０は、図１〜図４に示すように一つのトレイのみからなるものでもよいし、２以上のトレイが一体化されたものでもよい。
図５に示すトレイ５０は、トレイ５１〜トレイ５４の４つのトレイが一体化されたものである。
トレイ５０は、４つのカップ食品を置いた状態で固定することができるため、例えば、フルーツゼリーなどのカップ食品が２０個詰めの商品であると、トレイ５０を４個並べて使用すればよい。またカップ食品が２０個詰めの商品であると、合計で２０個のトレイ１０が一体にされたものを使用することもできる。
【００１６】
＜カップ食品用のトレイの使用方法＞
図６（ａ）〜（ｃ）により本発明のカップ食品用のトレイ１０の使用方法を説明する。
本発明のカップ食品用のトレイ１０と組み合わせるカップ食品100は、カップ容器に入った食品であればよく、食品の種類は特に制限されるものではない。例えば、ゼリー、プリン、ババロア、ムース、水ようかん、ジャム、マーマレード、果実のシロップ漬け、寒天、ところてん、ナタデココ、ヨーグルト、佃煮、乾物、菓子などの各種食品が入ったものを挙げることができる。
【００１７】
図８に示すような箱容器200の底面に１または複数の図１〜図４に示すトレイ１０を置く。または図５に示すトレイ５０を１つまたは複数並べて置くこともできる。
予め箱容器200の底面の形状および大きさと、複数のトレイ１０または１または複数のトレイ５０を並べたときの形状と大きさが一致するように調整することで、箱容器200の底面に並べて置いたとき、トレイ１０またはトレイ５０がずれにくくなる。
また箱容器200の底面に別部材の仕切りを配置して、前記底面を複数に区画した後（例えば、格子状などに区画した後）、複数の区画ごとにトレイ１０またはトレイ５０を置くこともできる。
また箱容器200とトレイ１０（トレイ５０）が一体に成形されたものを使用してもよいし、箱容器200の底面にトレイ１０（トレイ５０）が固定されたものを使用してもよい。
【００１８】
次に、立体保持部１２〜１５の内側面１２ａ〜１５ａに対してカップ食品100のフランジ部103の先端部103aを摺動させながら、図６（ａ）〜（ｃ）に示すとおり、カップ食品100の開口部を閉塞するシール部材104をトレイ１０の平面保持部１１に当接させ、かつカップ食品100のフランジ部103の先端部103aを全ての立体保持部１３〜１５に当接させるように嵌め込む。このとき、食品の情報が印刷されたラベル105が同じ向きになるように嵌め込む。
【００１９】
このようにしてトレイ１０（トレイ５０）にカップ食品100が嵌め込みやすくなる。このため、食品の情報が印刷されたラベル105が同じ向きになるように嵌め込むことが容易になる。
またカップ食品100のシール部材104が平面保持部１１に当接され、カップ食品100のフランジ先端部103aが立体保持部の内側面１２ａ〜１５ａと平面保持部１１の境界部１６が当接されるようになっており、フランジ先端部103a（または場合によりシール部材104）と境界部１６が互いに押し合うような力を生じさせるため、トレイ１０（トレイ５０）に嵌め込んだカップ食品100は動き難くなり、ラベル105の向きがずれることがない。
さらに上記した（Ｄ１、Ｌ１またはＬ２）／ｄ１は０．９５〜１．０未満の関係を満たすように調整しておくと、トレイ１０（トレイ５０）に対してカップ食品100を圧入できるようになるため、よりカップ食品100が動き難くなって、ラベル105の向きがずれることも全くなくなる。
【産業上の利用可能性】
【００２０】
本発明のカップ食品用のトレイは、各種カップ食品、例えば、ゼリー、プリン、ババロア、ムース、水ようかん、ジャム、マーマレード、果実のシロップ漬け、寒天、ところてん、ナタデココ、ヨーグルト、佃煮、乾物、菓子などの各種食品が入ったカップ食品を箱詰めするときのトレイとして利用可能である。
【符号の説明】
【００２１】
１０  カップ食品用のトレイ
１１  平面保持部
１２〜１５  立体保持部
１００  カップ食品
【図１】
2019001482.tif 000003
【図２】
2019001482.tif 000004
【図３】
2019001482.tif 000005
【図４】
2019001482.tif 000006
【図５】
2019001482.tif 000007
【図６】
2019001482.tif 000008
【図７】
2019001482.tif 000009
【図８】
2019001482.tif 000010